(57)【要約】【課題】表面張力により樋の裏側へ回り込んで逆流することを防止した集水ダクトの提供。【解決手段】樋２の端部からの排水を集水する集水部１０と、樋２の端部が集水部１０の上で浮いた状態となるように樋２を保持する樋保持部１１と、樋２の集水部１０の上で浮いた状態となった部分の下面２ｂに当接する舌片１２とを有し、樋２の端部において表面張力により表側から裏側へ回り込んだ水滴は、この樋の集水部の上で浮いた状態となった部分の下面２ｂに舌片１２が当接しているため、表面張力によりこの舌片１２に沿って樋２の集水部１０へと導かれ、集水されて所定位置に排水される。【選択図】図１０
2015012814.tif 000002
【特許請求の範囲】
【請求項１】
樋の端部が挿入される集水ダクトであって、
前記樋の端部からの排水を集水する集水部と、
前記樋の端部が前記集水部の上で浮いた状態となるように前記樋を保持する樋保持部と、
前記樋の前記集水部の上で浮いた状態となった部分の下面に当接する舌片と
を有する集水ダクト。
【発明の詳細な説明】
【技術分野】
【０００１】
本発明は、ビニールハウス等に配設される樋の端部に設けられる集水ダクトに関する。
【背景技術】
【０００２】
連棟型ビニールハウスの場合、屋根から流下する雨水や融雪水等の水をそのまま垂れ流すと、屋根と屋根との間に形成される谷部に溜まり、妻面側に流れなくなり、屋根を構成する樹脂フィルム材が弛んだり、破れたりして、ビニールハウス内にこれらの水が流下することになる。そのため、従来、この谷部に谷樋部材を取り付けて、これらの水を所定位置に排水するようにしている（例えば特許文献１，２参照。）。
【０００３】
また、ビニールハウスは、結露現象により屋根の樹脂フィルム材の内面に大量の水滴が付着し、これが樹脂フィルム材を伝いながらビニールハウス内に落下すると、作物の根腐れが発生したり、湿度が高くなって作物に病気が発生したりする。そのため、従来、谷部の谷樋部材の下方にも樋を設ける二重樋を採用し、落下する水滴を受けて排水するようにしている（特許文献１参照。）。
【先行技術文献】
【特許文献】
【０００４】
【特許文献１】実公昭６１−３７２４４号公報
【特許文献２】実開平６−４６４３９号公報
【発明の概要】
【発明が解決しようとする課題】
【０００５】
ところで、二重樋の樋の端部は集水ダクトに挿入されており、二重樋によって受けた水滴は樋の端部から集水ダクトに集められて、所定位置に排水されるようになっている。ところが、水滴は樋の端部において表面張力により表側から裏側へ端部を伝って回り込んでしまい、集水ダクト内に落下せず、樋の裏側を逆流してビニールハウス内に落下するという現象が発生する。
【０００６】
そこで、本発明においては、表面張力により樋の裏側へ回り込んで逆流することを防止した集水ダクトを提供することを目的とする。
【課題を解決するための手段】
【０００７】
本発明の集水ダクトは、樋の端部が挿入される集水ダクトであって、樋の端部からの排水を集水する集水部と、樋の端部が集水部の上で浮いた状態となるように樋を保持する樋保持部と、樋の集水部の上で浮いた状態となった部分の下面に当接する舌片とを有するものである。
【０００８】
本発明の集水ダクトによれば、樋の端部において表面張力により表側から裏側へ回り込んだ水滴は、この樋の集水部の上で浮いた状態となった部分の下面に舌片が当接しているため、表面張力によりこの舌片に沿って樋の集水部へと導かれ、集水されて所定位置に排水される。
【発明の効果】
【０００９】
本発明の集水ダクトによれば、樋の端部において表面張力により表側から裏側へ回り込んだ水滴は舌片に沿って樋の集水部へと導かれ、集水されて所定位置に排水されるため、樋の裏側へ回り込んで逆流することを防止することができ、ビニールハウス内に落下することを防止することができる。そのため、樋と集水ダクトとの接合部に接着剤やコーキング剤等を使用して止水することが不要となり、集水ダクトに樋を差し込むだけで施工することが可能となる。
【図面の簡単な説明】
【００１０】
【図１】本発明の実施の形態における集水ダクトの使用例を示す斜視図である。
【図２】図１の集水ダクトの正面図である。
【図３】図２の右側面図である。
【図４】図２の平面図である。
【図５】図２の底面図である。
【図６】図２の背面図である。
【図７】図３のＡ−Ａ断面図である。
【図８】図３のＢ−Ｂ断面図である。
【図９】樋の端部が挿入された状態の集水ダクトの正面図である。
【図１０】図９のＣ−Ｃ断面図である。
【図１１】図１の集水ダクトと組み合わされる樋装置の例を示す縦断面図である。
【発明を実施するための形態】
【００１１】
図１は本発明の実施の形態における集水ダクトの使用例を示す斜視図、図２は図１の集水ダクトの正面図、図３は図２の右側面図、図４は図２の平面図、図５は図２の底面図、図６は図２の背面図、図７は図３のＡ−Ａ断面図、図８は図３のＢ−Ｂ断面図、図９は樋の端部が挿入された状態の集水ダクトの正面図、図１０は図９のＣ−Ｃ断面図である。
【００１２】
図１に示すように、本発明の実施の形態における集水ダクト１は、樋２の端部が挿入されて使用されるものである。樋２は、例えば、図示しないビニールハウス等に略水平（水を一方向へ導くために若干傾斜させている場合を含む。）に延設されたものであり、特に結露現象により屋根の樹脂フィルム材の内面に付着した水滴を受けるために設けられたものである。なお、本実施形態においては、樋２は断面半円状であるが、他の断面形状のものを使用することも可能である。
【００１３】
図２〜図１０に示すように、集水ダクト１は、樋２の端部２ａからの排水を集水する集水部１０と、樋２を保持する樋保持部１１と、樋２の端部２ａの下面２ｂに当接する舌片１２と、樋２の先端に当接して位置決めするストッパ１３と、集水部１０から水を排水する排水部１４とを有する。集水部１０は、樋２の端部２ａからの排水をその下方で受けて集水する空間であり、排水部１４に向かって先細り形状となっている。舌片１２は、集水部１０の中に立設されている。
【００１４】
樋保持部１１は、樋２の外形に対応する形状、すなわち本実施形態においては断面半円状を有し、樋２の端部２ａが集水部１０の上で浮いた状態となるように保持するものである。樋２の端部２ａが集水部１０の上で浮いた状態とは、図１０に示すように、樋２の端部２ａが樋保持部１１から集水部１０内に突出しており、この突出した下面２ｂの部分において舌片１２以外に接していない状態をいう。
【００１５】
舌片１２は、図７に示すように、上端面が樋２の外形に沿う形状に形成されており、樋２の集水部１０の上で浮いた状態となった部分の下面に当接している。また、図７に示すように、舌片１２の左右両端部分には、集水部１０の内壁面との間に隙間１０ａが設けられており、この舌片１２によって集水部１０を仕切ることがないようにしている。ストッパ１３は、樋２の端部２ａを集水ダクト１内に挿入した際、その先端が当接した状態で、樋２の端部２ａに水が通過する空間が確保されるようにしたものである。
【００１６】
上記構成の集水ダクト１では、樋２の端部２ａにおいて表面張力により表側から裏側へ回り込んだ水滴は、この樋２の集水部１０の上で浮いた状態となった部分の下面２ｂに舌片１２が当接しているため、表面張力によりこの舌片１２に沿って樋２の集水部１０へと導かれ、集水されて所定位置に排水される。そのため、この集水ダクト１では、水滴が樋２の裏側へ回り込んで逆流することを防止することができ、ビニールハウス内に落下することを防止することができる。したがって、この集水ダクト１では、樋２と集水ダクト１との接合部に接着剤やコーキング剤等を使用して止水することが不要であり、集水ダクト１に樋２を差し込むだけで施工することが可能となる。
【００１７】
なお、上記構成の集水ダクト１は、例えば、図１１に示す樋装置との組み合わせて使用される。図１１は図１の集水ダクト１と組み合わされる樋装置の例を示す縦断面図である。
【００１８】
図１１に示す樋装置２１は、連棟型ビニールハウスの屋根２２ａと屋根２２ｂとの間に形成される谷部２３を構成する谷樋部材２４の下方に配設されている。屋根２２ａ，２２ｂは、アーチパイプ２５、樹脂フィルム材２６や、図示しないシート材止め条材等を用いて形成されている。また、谷部２３の下方には、谷部２３の形成方向に所定間隔で支柱２７が配置されている。
【００１９】
樋装置２１は、谷部２３に沿ってその下方に配される樹脂フィルム材３０と、谷部２３の下方に谷部２３の形成方向に沿って延設される樋部材３１とを有する。樋部材３１は、断面半円状の樋本体部３１ａと、樹脂フィルム材３０の下端部が内挿される断面凹状の耳部３１ｂとを備える。
【００２０】
耳部３１ｂは、樋本体部３１ａの両上端部に設けられ、樋部材３１の内側に向かって断面凹状の開口面が形成されている。また、耳部３１ｂの上縁部には、耳部３１ｂ内に嵌合されるゴム紐材３２が容易に抜け出さないように鉤状の抜止部３１ｃが形成されている。ゴム紐材３２は、耳部３１ｂに内挿された樹脂フィルム材３０の上から挿入され、樹脂フィルム材３０を固定するものである。樋部材３１は、支柱２７に対し、谷部２３を挟んで両側に並設されている。前述の集水ダクト１は、この樋部材３１の先に設置される。
【００２１】
上記構成の樋装置２１では、屋根２２ａと屋根２２ｂとの間に形成された谷部２３に沿ってその下方に樹脂フィルム材３０が配され、この樹脂フィルム材３０の下端部が樋部材３１の耳部３１ｂ内に内挿され、この耳部３１ｂ内の樹脂フィルム材３０の上からゴム紐材３２が挿入されることにより、樹脂フィルム材３０が樋部材３１の耳部３１ｂ内に固定される。一方、樹脂フィルム材３０の上端部は、パッカー２８等の固定具によりアーチパイプ２５に固定されている。これにより、屋根２２ａ，２２ｂの内面から落下する水滴を、樋部材３１の真上からだけでなく、樹脂フィルム材３０により広範囲から受けて、樋部材３１に導き、集水ダクト１から所定位置に排水することが可能となっている。
【００２２】
また、本実施形態における樋装置２１では、支柱２７と支柱２７との間であって、並設された樋部材３１の間にも、同様に樹脂フィルム材３４を配することが可能である。この樹脂フィルム材３４の端部は、それぞれの樋部材３１の内側の耳部３１ｂ内に内挿され、この耳部３１ｂ内の樹脂フィルム材３４の上からゴム紐材３２が挿入されることにより、樹脂フィルム材３４が樋部材３１の耳部３１ｂ内に固定される。したがって、この樹脂フィルム材３４によっても、屋根２２ａ，２２ｂの内面から落下する水滴を受けて樋部材３１にそれぞれ導き、集水ダクト１から所定位置に排水することが可能となっている。
【００２３】
また、本実施形態における樋装置２１では、ゴム紐材３２を樋部材３１の耳部３１ｂ内に挿入するだけで簡単に樹脂フィルム材３０，３４を固定することができるとともに、不要時にはゴム紐材３２を樋部材３１の耳部３１ｂ内から取り外すだけで簡単に樹脂フィルム材３０，３４の固定を解くことができるので、必要に応じて谷部２３の下方に配される樹脂フィルム材３０，３４の取り付けおよび取り外しを容易に行うことが可能となっている。
【００２４】
また、本実施形態における樋装置２１では、屋根２２ａ，２２ｂから降りてくる冷気が、その下方に配された樹脂フィルム材３０，３４によって遮断されるため、ビニールハウス内の環境へ悪影響を及ぼすのを防止することができる。
【００２５】
さらに、本実施形態における樋装置２１では、寒冷地において屋根２２ａと屋根２２ｂとの間に形成された谷部２３に溜まった雪を溶かすために、屋根２２ａ，２２ｂの谷部２３とその下方に配された樹脂フィルム材３０，３４との間のわずかな空間だけを暖めるだけで良いため、効率良く短時間で融雪することが可能となっている。
【産業上の利用可能性】
【００２６】
本発明の集水ダクトは、ビニールハウス等に配設される樋の端部に設けられる集水ダクトとして有用である。
【符号の説明】
【００２７】
１  集水ダクト
２  樋
１０  集水部
１１  樋保持部
１２  舌片
１３  ストッパ
１４  排水部
２１  樋装置
２２ａ，２２ｂ  屋根
２３  谷部
２４  谷樋部材
２５  アーチパイプ
２６，３０，３４  樹脂フィルム材
２７  支柱
２８  パッカー
３１  樋部材
３１ａ  樋本体部
３１ｂ  耳部
３１ｃ  抜止部
３２  ゴム紐材
３３  支持部材
【図１】
2015012814.tif 000003
【図２】
2015012814.tif 000004
【図３】
2015012814.tif 000005
【図４】
2015012814.tif 000006
【図５】
2015012814.tif 000007
【図６】
2015012814.tif 000008
【図７】
2015012814.tif 000009
【図８】
2015012814.tif 000010
【図９】
2015012814.tif 000011
【図１０】
2015012814.tif 000012
【図１１】
2015012814.tif 000013